(57)【要約】 【課題】  伝達ピン方式のスイッチ装置においても十分な消音効果が得られるとともに部品点数の増加や製造工程の複雑化を回避できるスイッチ装置、伝達ピンおよび伝達ピンアセンブリを提供すること。【解決手段】  伝達ピンは少なくとも前記操作ボタンとの接触部分または前記スイッチ素子との接触部分が弾性素材で形成されている。【選択図】  図１
2005285443.tif 000002
【特許請求の範囲】
【請求項１】
スイッチ素子と、このスイッチ素子を押圧操作するための操作ボタンと、前記操作ボタンおよび前記スイッチ素子の各々に接触するとともに外部から前記操作ボタンに加えられた操作を前記スイッチ素子に伝達する伝達ピンとを備えたスイッチ装置であって、
前記伝達ピンは少なくとも前記操作ボタンとの接触部分、または／および前記スイッチ素子との接触部分が弾性素材で形成されていることを特徴とするスイッチ装置。
【請求項２】
請求項１に記載のスイッチ装置において、前記伝達ピンは押圧操作方向に延びる棒状とされて前記押圧操作方向の操作を伝達可能であることを特徴とするスイッチ装置。
【請求項３】
請求項２に記載のスイッチ装置において、前記伝達ピンの前記接触部分は前記押圧方向に所定厚み分だけ弾性素材で形成されていることを特徴とするスイッチ装置。
【請求項４】
請求項１〜請求項３の何れかに記載のスイッチ装置において、前記伝達ピンは複数が並列に配置されかつ一連のランナで互いに連結されていることを特徴とするスイッチ装置。
【請求項５】
請求項４に記載のスイッチ装置において、前記ランナは複数の前記伝達ピンの各々に接続される弾性変形可能な接続アームを有することを特徴とするスイッチ装置。
【請求項６】
請求項１〜請求項５の何れかに記載のスイッチ装置において、前記操作ボタンの一つに対して複数組の前記伝達ピンおよび前記スイッチ素子が配置されていることを特徴とするスイッチ装置。
【請求項７】
請求項６に記載のスイッチ装置において、前記複数組の伝達ピンおよびスイッチ素子はそれぞれ前記操作ボタンの互いに反対側の端部に配置され、一方の組がオン操作された際に他方の組はオフ状態であることを特徴とするスイッチ装置。
【請求項８】
スイッチ素子およびこのスイッチ素子を押圧操作するための操作ボタンの各々に接触するとともに外部から前記操作ボタンに加えられた操作を前記スイッチ素子に伝達する伝達ピンであって、
少なくとも前記操作ボタンとの接触部分、または／および前記スイッチ素子との接触部分が弾性素材で形成されていることを特徴とする伝達ピン。
【請求項９】
請求項８に記載の伝達ピンにおいて、所定の押圧操作方向に延びる棒状とされて前記軸線方向の操作を伝達可能であることを特徴とする伝達ピン。
【請求項１０】
請求項９に記載の伝達ピンにおいて、前記接触部分は前記軸線方向に所定厚み分だけ弾性素材で形成されていることを特徴とする伝達ピン。
【請求項１１】
スイッチ素子およびこのスイッチ素子を押圧操作するための操作ボタンの各々に接触するとともに外部から前記操作ボタンに加えられた操作を前記スイッチ素子に伝達する伝達ピンを複数備えた伝達ピンアセンブリであって、
前記伝達ピンは少なくとも前記操作ボタンとの接触部分、または／および前記スイッチ素子との接触部分が弾性素材で形成され、
前記伝達ピンは複数が並列に配置されかつ一連のランナで互いに連結されていることを特徴とする伝達ピンアセンブリ。
【請求項１２】
請求項１１に記載の伝達ピンアセンブリにおいて、前記ランナは複数の前記伝達ピンの各々に接続される弾性変形可能な接続アームを有することを特徴とする伝達ピンアセンブリ。
【発明の詳細な説明】
【技術分野】
【０００１】
本発明は、伝達ピンを介してスイッチ操作が行われるスイッチ装置、このようなスイッチ装置に用いられる伝達ピンおよび伝達ピンアセンブリに関する。
【背景技術】
【０００２】
従来、電子機器等では操作のためのスイッチ装置が多用されている。このようなスイッチ装置においては、用途などに応じてきわめて多様な形式が用いられている。
例えば、外部からスイッチ操作を行う際に、指等で操作される操作ボタンが機器外面に設置されるとともに、実際にスイッチ機能を有するスイッチ素子が機器内部に設置されるため、これらを伝達ピンで結んで操作を伝達する形式が用いられている。
【０００３】
また、操作ボタンの一つに対して複数組のスイッチ素子を配置し、一方の組がオン操作された際に他方の組がオフ状態のままになるものがある。このようなスイッチ装置としては、両側に二つのスイッチ素子を備えたシーソー型のものや、いわゆるカーソル操作キーなどの四方向にスイッチ素子を備えたものがある。
【０００４】
近年、いわゆる入力用キーボードとして用いられる薄型のキースイッチにおいては、文字入力などの頻繁な操作が繰り返される関係から、動作音の静粛化が要求されている。このために、操作の伝達経路に消音用の弾性シートを介在させることがなされている（例えば特許文献１、２など）。
キーボード用以外のスイッチ装置についても、静粛性が要求されることがあり、同様な消音用シートの追加による対応が可能といえる。
【０００５】
【特許文献１】特開２００２−１９７９４７号公報（第２頁〜第３頁、図１〜図２）
【特許文献２】特開２０００−２６９２４５号公報（第７頁、図１、図２、図５）
【発明の開示】
【発明が解決しようとする課題】
【０００６】
特許文献１、２では、それぞれ消音用の弾性シートを追加することで騒音の発生を回避しており、部品点数の増加や製造工程の複雑化が避けられないという課題がある。
特に、前述した伝達ピンを用いるスイッチ装置において同様な消音用シートを追加するとなると、操作スイッチ、伝達ピン、消音用シート、スイッチ素子という伝達経路の構造的が複雑化し、部品点数の増加や製造工程の複雑化に加え、十分な消音効果が得られない可能性が生じていた。
【０００７】
本発明の目的は、伝達ピン方式のスイッチ装置においても十分な消音効果が得られるとともに部品点数の増加や製造工程の複雑化を回避できるスイッチ装置、伝達ピンおよび伝達ピンアセンブリを提供することである。
【課題を解決するための手段】
【０００８】
本発明のスイッチ装置は、スイッチ素子と、このスイッチ素子を押圧操作するための操作ボタンと、前記操作ボタンおよび前記スイッチ素子の各々に接触するとともに外部から前記操作ボタンに加えられた操作を前記スイッチ素子に伝達する伝達ピンとを備えたスイッチ装置であって、前記伝達ピンは少なくとも前記操作ボタンとの接触部分、または／および前記スイッチ素子との接触部分が弾性素材で形成されていることを特徴とする。
本発明の伝達ピンは、スイッチ素子およびこのスイッチ素子を押圧操作するための操作ボタンの各々に接触するとともに外部から前記操作ボタンに加えられた操作を前記スイッチ素子に伝達する伝達ピンであって、少なくとも前記操作ボタンとの接触部分、または／および前記スイッチ素子との接触部分が弾性素材で形成されていることを特徴とする。
本発明の伝達ピンアセンブリは、スイッチ素子およびこのスイッチ素子を押圧操作するための操作ボタンの各々に接触するとともに外部から前記操作ボタンに加えられた操作を前記スイッチ素子に伝達する伝達ピンを複数備えた伝達ピンアセンブリであって、前記伝達ピンは少なくとも前記操作ボタンとの接触部分、または／および前記スイッチ素子との接触部分が弾性素材で形成され、前記伝達ピンは複数が並列に配置されかつ一連のランナで互いに連結されていることを特徴とする。
【発明を実施するための最良の形態】
【０００９】
以下、本発明の実施形態を図面に基づいて説明する。
図１〜図３には、本実施形態のスイッチ装置が示されている。
各図に示すように、本実施形態のスイッチ装置は、カバー２０内に収められたカーオーディオ装置の操作部分として用いられるものであり、操作ボタン１０、フレーム３０、回路基板４０、バックプレート５０、伝達ピンアセンブリ６０，７０を備えている。
【００１０】
なお、操作ボタン１０、カバー２０、フレーム３０、バックプレート５０、伝達ピンアセンブリ６０，７０は、基本的に各々に形成された各部を含めて、それぞれが合成樹脂材料の一体成型で形成されている。合成樹脂材料としては、一般的なポリエチレン、ポリウレタンなどが用いられるほか、高強度、高耐久性などを考慮したいわゆるエンジニアリングプラスチックを用いることができる。
【００１１】
操作ボタン１０は、対向する端部にスイッチ機能を有するいわゆるシーソー型スイッチであり、操作ボタン１０Ａ〜１０Ｃが並列に３連装されている。
操作ボタン１０Ａ〜１０Ｃは、カバー２０から露出される表面部１１（１１Ａ〜１１Ｃ）と、その裏面に形成された筒状の支持部１２（１２Ａ〜１２Ｃ）とを有する。
【００１２】
操作ボタン１０は、表面部１１がカバー２０の開口から露出されて個別に外部操作可能である。
表面部１１は、カバー２０から露出される表面の輪郭形状が所定方向に長い略平行四辺形に形成され、表面形状が周辺のカバー２０の表面に連続するような曲面形状とされている。
表面部１１の表面には、互いに対向する長手方向の端部にマーカ１９が形成されている。すなわち、操作ボタン１０Ａには「１」「４」が、操作ボタン１０Ｂには「２」「５」が、操作ボタン１０Ｃには「３」「６」が表示され、各端部を押すことで各マーカ１９に対応したスイッチ操作が行われるようになっている。
【００１３】
操作ボタン１０は、それぞれ支持部１２を用いてフレーム３０に回動自在に支持され、各々がシーソー型動作を行えるようになっている。
操作ボタン１０Ａ〜１０Ｃは、支持部１２の側面（表面部１１の短軸方向つまり長辺側にあたる側面）に両側一対の支持孔１３（１３Ａ〜１３Ｃ）を有する。
【００１４】
フレーム３０は、カバー２０の裏面側に既存の取付構造（図示省略）を介して装着されているとともに、各操作ボタン１０（１０Ａ〜１０Ｃ）に対応した筒状の支持部３２（３２Ａ〜３２Ｃ）を備えている。
【００１５】
支持部３２は、それぞれ操作ボタン１０の支持部１２よりやや小径に形成されて支持部１２内に挿入可能であり、支持部３２の側面には両側一対の支持ピン３３が形成されている。
支持ピン３３は、支持部１２の支持孔１３に対応した位置に配置されるとともに、支持孔１３に挿入可能な大きさに形成されている。これらの支持ピン３３を対応する支持孔１３に係合させることで、操作ボタン１０はフレーム３０に対して回動自在に支持されている。
【００１６】
フレーム３０の裏面側には回路基板４０が装着されている。
回路基板４０は、既存のプリント基板４１を有し、その表面にはスイッチ素子４４，４５を含む各種の回路素子（図示省略）が設置されている。各素子はプリント基板４１の表面（表面、裏面および基板の層中までの場合もある）に形成されるプリントパターンにより相互に配線される。
スイッチ素子４４，４５は、既存の小型スイッチであり、図中上面側を押圧されることで導通状態となり、押圧解除により遮断状態となる。
【００１７】
スイッチ素子４４，４５は、各操作ボタン１０Ａ〜１０Ｃのシーソー型のスイッチ操作により操作されるべく配置されている。すなわち、スイッチ素子４４（４４Ａ〜４４Ｃ）は操作ボタン１０Ａ〜１０Ｃの一方の端部（マーカ１９が「１」「３」「５」）の直下に配置され、スイッチ素子４５（４５Ａ〜４５Ｃ）は操作ボタン１０Ａ〜１０Ｃの他方の端部（マーカ１９が「２」「４」「６」）の直下に配置されている。
【００１８】
このような操作ボタン１０によるスイッチ素子４４，４５の操作を実現するために、伝達ピンアセンブリ６０，７０を含む次のような伝達機構が設置されている。
操作ボタン１０には、表面部１１の各端部の裏面側に当接部１４（１４Ａ〜１４Ｃ），１５（１５Ａ〜１５Ｃ）が形成されている。
フレーム３０には、各当接部１４，１５とスイッチ素子４４，４５とを結ぶ軸線に沿って筒状の保持部３４（３４Ａ〜３４Ｃ），３５（３５Ａ〜３５Ｃ）が形成されている。
伝達ピンアセンブリ６０，７０は、保持部３４，３５により所定の軸線方向へ移動自在に保持され、当接部１４，１５からの押圧力をスイッチ素子４４，４５に伝達する。
【００１９】
図４には伝達ピンアセンブリ６０が示されている。
伝達ピンアセンブリ６０は、操作ボタン１０およびスイッチ素子４４の各々に対応した３本の伝達ピン６１（６１Ａ〜６１Ｃ）を備えている。
伝達ピン６１Ａ〜６１Ｃは、中実の棒状部材であり、図中上端に円盤状の当接部６２Ａ〜６２Ｃを有する。各伝達ピン６１Ａ〜６１Ｃの長さは、対応する操作ボタン１０Ａ〜１０Ｃとスイッチ素子４４Ａ〜４４Ｃとの間の距離に応じて調整されている。
【００２０】
このうち、伝達ピン６１Ａはフレーム３０の保持部３４Ａ内に挿通されて保持され、図中下側の端面６３Ａがスイッチ素子４４Ａに当接されるとともに、図中上側の当接部６２Ａが操作ボタン１０Ａの当接部１４Ａに当接されている。
これにより、操作ボタン１０Ａのマーカ１９が「１」の側を押すことで、当接部１４Ａで当接部６２Ａが押され、伝達ピン６１Ａが軸方向に移動し、端面６３Ａでスイッチ素子４４Ａを押圧し、スイッチ素子４４Ａの操作を行うことができる。
【００２１】
同様に、伝達ピン６１Ｂ，６１Ｃはフレーム３０の保持部３４Ｂ，３４Ｃ内に挿通され、図中下側の端面６３Ｂ，６３Ｃがスイッチ素子４４Ｂ，４４Ｃに当接されるとともに、図中上側の当接部６２Ｂ，６２Ｃが操作ボタン１０Ｂ，１０Ｃの当接部１４Ｂ，１４Ｃに当接されており、同様に操作ボタン１０Ｂ，１０Ｃの「３」「５」側を押すことで各スイッチ素子４４Ｂ，４４Ｃの操作を行うことができる。
【００２２】
伝達ピンアセンブリ６０は、３本の伝達ピン６１Ａ〜６１Ｃを連結するランナ６８を有し、このランナ６８から延びる接続アーム６９Ａ〜６９Ｃはそれぞれ各伝達ピン６１Ａ〜６１Ｃの当接部６２Ａ〜６２Ｃに接続されている。
接続アーム６９Ａ〜６９Ｃの途中には略Ｓ字型の屈曲部が形成され、相互に連結するランナ６８に拘わらず各伝達ピン６１Ａ〜６１Ｃは独立した軸方向移動が可能である。
【００２３】
伝達ピンアセンブリ６０は、３本の伝達ピン６１Ａ〜６１Ｃおよびランナ６８を合成樹脂材料の射出成形等により一体に成形されている。
伝達ピン６１Ａ〜６１Ｃは、図中下側の端部６３Ａ〜６３Ｃから軸方向（図中上向き）に所定長さにわたる部分が弾性素材としてのエラストマ素材とされ、スイッチ素子４４Ａ〜４４Ｃとの接触にあたって所定のクッション性が得られるようになっている。
このエラストマ素材の部分は、前述した射出成型時に他の部分の合成樹脂材料とともに所定のエラストマをいわゆる二色成形したものである。
エラストマとしては、シリコン樹脂、合成ゴムなどを用いることができ、所定のクッション性が得られれば他の合成樹脂材料あるいはゴム系素材を利用することもできる。
【００２４】
図５には伝達ピンアセンブリ７０が示されている。
伝達ピンアセンブリ７０は、操作ボタン１０およびスイッチ素子４５に対応した伝達ピン７１（７１Ａ〜７１Ｃ）を備えている。
伝達ピン７１Ａ〜７１Ｃは、当接部７２Ａ〜７２Ｃで当接部１５Ａ〜１５Ｃと当接し、端面７３Ａ〜７３Ｃでスイッチ素子４５Ａ〜４５Ｃに当接し、操作ボタン１０（マーカ１９が「２」「４」「６」の側）の操作により各スイッチ４５Ａ〜４５Ｃを操作可能である。
【００２５】
伝達ピンアセンブリ７０は、３本の伝達ピン７１Ａ〜７１Ｃをランナ７８および接続アーム７９Ａ〜７９Ｃで連結されているが、伝達ピン７１Ａ〜７１Ｃは個別に移動可能である。
伝達ピン７１Ａ〜７１Ｃは、図中下側の端部７３Ａ〜７３Ｃから軸方向（図中上向き）に所定長さにわたる部分がエラストマ素材とされ、スイッチ素子４５Ａ〜４５Ｃとの接触にあたって所定のクッション性が得られるようになっている。
【００２６】
これらの回路基板４０、フレーム３０、操作ボタン１０、伝達ピンアセンブリ６０，７０をカバー２０内に保持するために、バックプレート５０が用いられている。
バックプレート５０は、回路基板４０を背面側から支持する突起部５１を有し、図示しない固定構造でカバー２０に固定される。これにより、回路基板４０、フレーム３０、操作ボタン１０の各部が順次カバー２０に対して挟持され、所定の状態でカバー２０内に保持される。
【００２７】
このような本実施形態によれば次のような効果が得られる。
操作ボタン１０の対向する端部を押す操作により、伝達ピンアセンブリ６０、７０を介して該当するスイッチ素子４４，４５が押圧され、所望のスイッチ操作を行うことができる。
この際、操作ボタン１０は対向する端部の一方および他方に異なるスイッチ機能を備えたシーソー型となっているため、一つの操作ボタン１０で複数のスイッチ素子４４，４５の操作を行うことができ、操作ボタン１０の数を低減することができる。
【００２８】
また、伝達ピンアセンブリ６０、７０を用いるため、操作ボタン１０とスイッチ素子４４，４５が離れていても操作の伝達が何ら問題なく行えるとともに、互いに隣接する操作ボタン１０Ａ〜１０Ｃと対応するスイッチ素子４４Ａ〜４４Ｃ，４５Ａ〜４５Ｃとの距離がまちまちの場合でも伝達ピン６１，７１の長さの調整により対応することができる。
このため、操作ボタン１０は配置および表面形状の自由度などを十分に確保することができ、スイッチ装置として適用される機器のデザイン性を向上することができる。
【００２９】
伝達ピンアセンブリ６０、７０においては、端部７３Ａ〜７３Ｃから軸方向に所定長さにわたる部分をエラストマ素材とし、スイッチ素子４５Ａ〜４５Ｃとの接触にあたって所定のクッション性が得られるようにしたので、スイッチ操作にあたっての操作ノイズの発生を抑制し、静粛性を高めることができる。
特に、このようなエラストマ素材部分の介在により、操作ボタン１０からスイッチ素子４４，４５に至る伝達機構に予め僅かな予圧をかけておくことができる。そして、この予圧により、伝達機構にある各部のいわゆるおどり等によるノイズ等も低減することができる。
また、シーソー型の操作ボタンにおいては、一方の組を押圧操作した時は、他方の組においてはスイッチ素子と伝達ピン、あるいは、操作ボタンと伝達ピンの間に隙間が生じる。その後、元の状態に戻る時に衝突音が生じるため、係る衝突音を低減することもできる。
【００３０】
伝達ピンアセンブリ６０、７０においては、3本の伝達ピン６１Ａ〜６１Ｃ，７１〜７１Ｃをランナ６８，７８で連結したため、これらを一括して取り扱うことができ、伝達ピン６１，７１がばらばらである場合に比べて取り扱いを容易にすることができる。
また、3本の伝達ピン６１Ａ〜６１Ｃ，７１〜７１Ｃをランナ６８，７８で連結したため、外部振動などにより各伝達ピン６１，７１が個別に振動するようなことも回避でき、静粛性を更に高めることができる。
【００３１】
伝達ピンアセンブリ６０，７０においては、接続アーム６９，７９にS字状の屈曲部を用いたため、伝達ピン６１，７１を相互に連結した場合でも各々の動作を拘束せず、単独の場合と同様な動作を確保することができる。
【００３２】
なお、本発明は前述の実施形態に限定されるものではなく、本発明の目的を達成できる範囲での変形、改良等は本発明に含まれるものである。
例えば、前記実施形態では、エラストマ素材を伝達ピン６１，７１の端部に部分的に用いるとしたが、伝達ピン６１，７１の全体をエラストマ素材としてもよく、伝達ピンアッセンブリ６０，７０の全体をエラストマ素材としてもよい。
また、エラストマ素材を伝達ピン６１，７１の端部等に部分的に用いる場合、前述した実施形態のような二色成形の他、エラストマ素材の別部材を作成し、伝達ピン６１，７１の端部に接着、溶着、融着、その他の任意の方法で連結してもよい。
【００３３】
前記実施形態においては、伝達ピンアセンブリ６０，７０において伝達ピン６１，７１の個別動作を確保するために接続アーム６９，７９の途中にS字状の屈曲部を用いたたが、螺旋状、長尺の直線状など他の形状であってもよく、要するに伝達ピン６１，７１の所定のストロークを確保できればよい。
【００３４】
伝達ピン６１，７１は所定の軸線方向へ直線的に延びる棒状に限らず、一部にクランクがある形状、他の構成をよけるために途中がオフセットしたΩ字状、操作側と作用側が同じ側になるＵ字状など任意の形状を利用することができる。
また、伝達ピン６１，７１は丸棒や角棒などの棒状に限らず、板状、断面Ｌ字型あるいは断面Ｕ字型などの形材等であってもよい。
このように、伝達ピン６１，７１は操作ボタン１０への操作をスイッチ素子４４，４５に伝達できればどのような形状でもよいが、前記実施形態のように操作ボタン１０からスイッチ素子４４，４５に至る直線的な形状にすれば最も簡素かつ動作が確実にできる。
【００３５】
前記実施形態においては、伝達ピン６１，７１をランナ６８，７８で複数連結した伝達ピンアセンブリ６０，７０の形で用いたが、伝達ピン６１，７１はそれぞれが分離した個別の状態で用いてもよい。
但し、このような場合にはスイッチ装置への組込にあたって伝達ピンをその数だけ（前記実施形態では６本）装着する操作が必要となり、伝達ピンアセンブリ６０，７０の場合の２回に比べて煩雑になる。このため、伝達ピンアセンブリ６０，７０の形態で利用することが望ましい。
【００３６】
前記実施形態においては、スイッチ装置は３つの操作ボタン１０Ａ〜１０Ｃを配列したものであったが、操作ボタンの数、寸法あるいは配置などは適宜変更しうるものである。
また、操作ボタン１０は対向する端部にそれぞれスイッチ機能を有するシーソー型スイッチとしたが、このような一対ではなく四方に計４つのスイッチ機能を持たせる等としてもよい。
一方、本発明においてシーソー型スイッチとすることは必須ではなく、１つの操作ボタンで１つのスイッチ素子を操作する場合でも、本発明の伝達ピンを利用することで操作ノイズの低減が図れる。また、１つの操作ボタンで１つのスイッチ素子を操作するスイッチが複数配列される際に、複数の伝達ピンを有する伝達ピンアセンブリを用いることもできる。
【００３７】
［実施形態の作用効果］
前述の通り、本実施形態では、伝達ピン方式のスイッチ装置においても十分な消音効果が得られるとともに部品点数の増加や製造工程の複雑化を回避できるスイッチ装置、伝達ピンおよび伝達ピンアセンブリを提供することができる。
【図面の簡単な説明】
【００３８】
【図１】本発明の一実施形態のスイッチ装置の外観を示す平面図。
【図２】前記実施形態のスイッチ装置の断面形状を示す縦断面図。
【図３】前記実施形態のスイッチ装置の異なる方向の断面形状を示す縦断面図。
【図４】前記実施形態の伝達ピンアセンブリを示す図であり、図４（Ａ）は平面図、図４（Ｂ）は側面図である。
【図５】前記実施形態の他の伝達ピンアセンブリを示す図であり、図５（Ａ）は平面図、図５（Ｂ）は側面図である。
【符号の説明】
【００３９】
１０，１０Ａ，１０Ｂ，１０Ｃ…操作ボタン
１１…表面部
１２…支持部
１３…支持孔
１４，１４Ａ，１４Ｂ，１４Ｃ…当接部
１５，１５Ａ，１５Ｂ，１５Ｃ…当接部
１９…マーカ
２０…カバー
３０…フレーム
３２…支持部
３３…支持ピン
３４，３４Ａ，３４Ｂ，３４Ｃ…保持部
４０…回路基板
４１…プリント基板
４４，４４Ａ，４４Ｂ，４４Ｃ…スイッチ素子
４５，４５Ａ，４５Ｂ，４５Ｃ…スイッチ素子
５０…バックプレート
５１…突起部
６０，７０…伝達ピンアセンブリ
６１，６１Ａ，６１Ｂ，６１Ｃ…伝達ピン
６２，６２Ａ，６２Ｂ，６２Ｃ…当接部
６３，６３Ａ，６３Ｂ，６３Ｃ…端面
７１，７１Ａ，７１Ｂ，７１Ｃ…伝達ピン
７２，７２Ａ，７２Ｂ，７２Ｃ…当接部
７３，７３Ａ，７３Ｂ，７３Ｃ…端面
６８，７８    ランナ
６９，７９    接続アーム
【図１】
2005285443.tif 000003
【図２】
2005285443.tif 000004
【図３】
2005285443.tif 000005
【図４】
2005285443.tif 000006
【図５】
2005285443.tif 000007